(57)【要約】【課題】携帯機器から映像蓄積再生装置への一方向の近接通信手段のみが備えられている場合であっても、映像蓄積再生装置が保有している再生権を携帯機器に引き渡すことができる映像蓄積再生装置、再生権引渡システム、及び再生権引渡方法を提供する。【解決手段】映像蓄積再生装置１が、サーバ３を利用して、自身が保有する再生権を携帯機器２に引き渡し、さらに、必要に応じて携帯機器２から他の映像蓄積再生装置７に引き渡す方法であって、映像蓄積再生装置１は携帯機器２からの近接通信信号を受信し、この信号から携帯機器２を特定するＩＤ情報を取り出し、映像蓄積再生装置１が保有する関連機器情報内に、取り出されたＩＤ情報と一致する情報があるか否かを判定し、一致する情報がある場合には、携帯機器２を特定するＩＤ情報、携帯機器２のメールアドレス、及び映像蓄積再生装置１自身を特定するＩＤ情報をサーバ３に送信する。【選択図】図１
2011053815.tif 000002
【特許請求の範囲】
【請求項１】
ネットワーク接続機能を有する映像蓄積再生装置であって、
自身を特定するＩＤ情報を管理する自己情報管理手段と、
ネットワークを介してサーバと通信を行うネットワーク通信手段と、
前記ネットワーク通信手段を通じて通信を行うサーバの情報を管理するサーバ情報管理手段と、
近接した携帯機器から送信される信号を受信する信号受信手段と、
コンテンツの再生権を与える再生権情報を管理する再生権情報管理手段と、
再生権の引き渡し先となることができる機器を特定する関連機器情報を記憶する関連機器情報記憶部と、
前記関連機器情報を管理する関連機器情報管理手段と、
前記信号受信手段によって受信された前記携帯機器からの信号に含まれる前記携帯機器を特定するＩＤ情報を取り出し、前記関連機器情報内に前記取り出されたＩＤ情報と一致する情報がある場合に、前記携帯機器を特定する前記ＩＤ情報、前記携帯機器からの信号に含まれる前記携帯機器のメールアドレス、及び前記映像蓄積再生装置自身を特定するＩＤ情報を、前記ネットワーク通信手段を通じて前記サーバに送信する制御手段と
を有することを特徴とする映像蓄積再生装置。
【請求項２】
前記携帯機器を特定するＩＤ情報、前記携帯機器のメールアドレス、及び前記映像蓄積再生装置自身を特定するＩＤ情報の前記サーバへの送信に応答して前記サーバから送信された再生権無効化要求を受信したときに、前記再生権情報管理手段は、前記再生権を削除することを特徴とする請求項１に記載の映像蓄積再生装置。
【請求項３】
前記関連機器情報管理手段は、前記携帯機器のメールアドレスを前記関連機器情報記憶部に格納することを特徴とする請求項１又は２に記載の映像蓄積再生装置。
【請求項４】
ネットワーク接続機能を有する映像蓄積再生装置であって、
自身を特定するＩＤ情報を管理する自己情報管理手段と、
ネットワークを介してサーバと通信を行うネットワーク通信手段と、
前記ネットワーク通信手段を通じて通信を行うサーバの情報を管理するサーバ情報管理手段と、
近接した携帯機器から送信される信号を受信する信号受信手段と、
コンテンツの再生権を与える再生権情報を管理する再生権情報管理手段と、
過去に前記送受信手段が受信した携帯機器を特定するＩＤ情報及び該携帯機器のメールアドレスを関連機器情報として記憶する関連機器情報記憶部と、
前記関連機器情報を管理する関連機器情報管理手段と、
前記再生権を前記携帯機器に引き渡す操作がなされたときに、前記関連機器情報管理手段が管理する前記携帯機器のＩＤ情報、前記携帯機器のメールアドレス、及び前記映像蓄積再生装置を特定するＩＤ情報を、前記ネットワーク通信手段を通じて、前記サーバ情報管理手段が管理するサーバに送信する制御手段と
を有することを特徴とする映像蓄積再生装置。
【請求項５】
前記携帯機器を特定するＩＤ情報、前記携帯機器のメールアドレス、及び前記映像蓄積再生装置自身を特定するＩＤ情報の前記サーバへの送信に応答して前記サーバから送信された再生権無効化要求を受信したときに、前記再生権情報管理手段は、前記再生権を削除することを特徴とする請求項４に記載の映像蓄積再生装置。
【請求項６】
前記信号受信手段が受信する信号は、赤外線信号であることを特徴とする請求項１乃至５のいずれか１項に記載の映像蓄積再生装置。
【請求項７】
サーバと、ネットワークを介して前記サーバと通信可能な映像蓄積再生装置と、ネットワークを介して前記サーバと通信可能な携帯機器とを有する再生権引渡システムにおいて、
前記映像蓄積再生装置は、請求項１乃至６のいずれか１項に記載の映像記録再生装置である
ことを特徴とする再生権引渡システム。
【請求項８】
自身を特定するＩＤ情報を管理する手段と、ネットワークを介してサーバと通信を行う手段と、通信を行うサーバの情報を管理する手段と、近接した携帯機器から送信される信号を受信する手段と、コンテンツの再生権を与える再生権情報を管理する手段と、再生権の引き渡し先となることができる機器を特定する関連機器情報を記憶する手段と、前記関連機器情報を管理する手段とを有する映像蓄積再生装置が、前記再生権を前記携帯機器に引き渡す再生権引渡方法であって、
前記映像蓄積再生装置が、前記近接した携帯機器からの前記信号を受信し、該信号から前記携帯機器を特定するＩＤ情報を取り出し、前記関連機器情報内に前記取り出されたＩＤ情報と一致する情報があるか否かを判定するステップと、
前記映像蓄積再生装置が、前記一致する情報がある場合には、前記携帯機器を特定する前記ＩＤ情報、前記携帯機器からの信号に含まれる前記携帯機器のメールアドレス、及び前記映像蓄積再生装置自身を特定するＩＤ情報を前記サーバに送信するステップと
を有することを特徴とする再生権引渡方法。
【請求項９】
前記映像蓄積再生装置が、前記携帯機器を特定するＩＤ情報、前記携帯機器のメールアドレス、及び前記映像蓄積再生装置自身を特定するＩＤ情報の前記サーバへの送信に応答して前記サーバから送信された再生権無効化要求を受信するステップと、
前記映像蓄積再生装置が、前記再生権無効化要求を受信したときに、前記再生権を削除するステップと
を有することを特徴とする請求項８に記載の再生権引渡方法。
【請求項１０】
前記映像蓄積再生装置が、前記携帯機器のメールアドレスを、前記関連機器情報を記憶する手段に格納するステップを有することを特徴とする請求項８又は９に記載の再生権引渡方法。
【請求項１１】
自身を特定するＩＤ情報を管理する手段と、ネットワークを介してサーバと通信を行う手段と、通信を行うサーバの情報を管理する手段と、近接した携帯機器から送信される信号を受信する手段と、コンテンツの再生権を与える再生権情報を管理する手段と、過去に受信した携帯機器を特定するＩＤ情報及び該携帯機器のメールアドレスを関連機器情報として記憶する手段と、前記関連機器情報を管理する手段とを有する映像蓄積再生装置が、前記再生権を前記携帯機器に引き渡す再生権引渡方法であって、
前記映像蓄積再生装置に、前記再生権を前記携帯機器に引き渡す命令が入力されるステップと、
前記映像蓄積再生装置が、該命令が入力されたときに、管理されている前記携帯機器のＩＤ情報、前記携帯機器のメールアドレス、及び前記映像蓄積再生装置を特定するＩＤ情報を、前記サーバに送信するステップと
を有することを特徴とする再生権引渡方法。
【請求項１２】
前記映像蓄積再生装置が、前記携帯機器を特定するＩＤ情報、前記携帯機器のメールアドレス、及び前記映像蓄積再生装置自身を特定するＩＤ情報の前記サーバへの送信に応答して前記サーバから送信された再生権無効化要求を受信するステップと、
前記再生権無効化要求を受信したときに、前記再生権を削除するステップと
を有することを特徴とする請求項１１に記載の再生権引渡方法。
【請求項１３】
前記携帯機器を特定するＩＤ情報、前記携帯機器のメールアドレス、及び前記映像蓄積再生装置自身を特定するＩＤ情報の前記サーバへの送信に応答して前記サーバが、前記携帯機器に再生権引渡を確認するため、ＵＲＬを含むメールを送信するステップと、
前記ＵＲＬにアクセスした前記携帯機器が、再生権引渡確認画面を受信するステップと、
前記ＵＲＬにアクセスした前記携帯機器が、再生権を要求するステップと、
前記サーバが前記携帯機器に再生権情報を送信するステップと
を有することを特徴とする請求項８乃至１２のいずれか１項に記載の再生権引渡方法。
【発明の詳細な説明】
【技術分野】
【０００１】
本発明は、コンテンツを再生する権限（再生権）を他の機器に引き渡すことができる映像蓄積再生装置、並びに、映像蓄積再生装置に付与された再生権を他の機器に引き渡す再生権引渡システム及び再生権引渡方法に関するものである。
【背景技術】
【０００２】
近年、情報家電機器、例えば、携帯電話などの携帯機器又はデジタルＴＶやブルーレイディスクレコーダーなどのデジタルＡＶ機器によって、インターネット経由で動画コンテンツの配信サービスを受けることが、一般的になりつつある。しかし、従来の配信サービスでは、動画コンテンツが配信されたデジタルＡＶ機器に対して再生権（視聴権）が設定されるので、あるデジタルＡＶ機器で購入した動画コンテンツを、他のデジタルＡＶ機器で再生（視聴）することはできない。例えば、ＶＯＤ（Ｖｉｄｅｏ  Ｏｎ  Ｄｅｍａｎｄ）サービスを利用して、１週間の期限付きの動画コンテンツを購入した場合、購入に使用したデジタルＡＶ機器を用いれば、期限内において、回数に制限なく動画コンテンツを視聴することが可能であるが、購入に使用したデジタルＡＶ機器以外の機器で、その動画コンテンツを視聴することはできない。
【０００３】
また、デジタルＡＶ機器から記録メディア、例えば、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）などの光ディスクやＳＤメモリーカード（Ｓｅｃｕｒｅ  Ｄｉｇｉｔａｌ  Ｍｅｍｏｒｙ  Ｃａｒｄ）のようなメモリーカードなど、に書き出し可能な動画コンテンツの配信サービスを利用して、記録メディアに動画コンテンツをコピーした場合は、記録メディアを持ち歩くことで、購入に使用したデジタルＡＶ機器以外の機器でそのコンテンツを視聴することができる。しかし、記録メディアの容量及び動画コンテンツのサイズによっては、複数の動画コンテンツを持ち出すために、複数の記録メディアを持ち歩く必要があるので、記録メディアの管理が面倒になる。
【０００４】
このような問題を解決するために、携帯機器（携帯再生装置）から映像蓄積再生装置（再生装置）に近距離通信を用いて再生権情報（権利データ）を送信することによって、再生権情報を受信した映像蓄積再生装置にコンテンツの再生権を与えるシステムの提案がある（例えば、特許文献１参照）。特許文献１が提案するシステムにおいては、携帯機器を用いてコンテンツの購入を行い、この携帯機器に格納された再生権情報を持ち歩くことで、複数の映像蓄積再生装置でコンテンツの再生を可能としている。
【先行技術文献】
【特許文献】
【０００５】
【特許文献１】特開２００７−２７９９６３号公報（第１１−１４頁、図５ａ、５ｂ、５ｃ、５ｄ）
【発明の概要】
【発明が解決しようとする課題】
【０００６】
しかしながら、特許文献１が提案するシステムにおいては、映像蓄積再生装置を用いてコンテンツの購入を行い、この映像蓄積再生装置に再生権情報が格納された場合には、他の機器に再生権を引き渡すことができないという問題があった。
【０００７】
また、再生権情報を持ち歩く場合には、映像蓄積再生装置から携帯機器に対して、近距離通信を用いて、コンテンツの購入要求を送信し、携帯機器を用いてコンテンツの購入を行う必要があった。このため、携帯機器と映像蓄積再生装置の各々に、双方向の近距離通信用インターフェースを設ける必要があり、装置のコストアップにつながるという問題があった。
【０００８】
そこで、本発明は、上記従来技術の課題を解決するためになされたものであり、その目的は、携帯機器から映像蓄積再生装置への一方向の近接通信手段のみが備えられている場合であっても、映像蓄積再生装置が保有している再生権を携帯機器に引き渡すことができる映像蓄積再生装置、再生権引渡システム、及び再生権引渡方法を提供することにある。
【課題を解決するための手段】
【０００９】
本発明に係る映像蓄積再生装置は、ネットワーク接続機能を有する映像蓄積再生装置であって、自身を特定するＩＤ情報を管理する自己情報管理手段と、ネットワークを介してサーバと通信を行うネットワーク通信手段と、前記ネットワーク通信手段を通じて通信を行うサーバの情報を管理するサーバ情報管理手段と、近接した携帯機器から送信される信号を受信する信号受信手段と、コンテンツの再生権を与える再生権情報を管理する再生権情報管理手段と、再生権の引き渡し先となることができる機器を特定する関連機器情報を記憶する関連機器情報記憶部と、前記関連機器情報を管理する関連機器情報管理手段と、前記信号受信手段によって受信された前記携帯機器からの信号に含まれる前記携帯機器を特定するＩＤ情報を取り出し、前記関連機器情報内に前記取り出されたＩＤ情報と一致する情報がある場合に、前記携帯機器を特定する前記ＩＤ情報、前記携帯機器からの信号に含まれる前記携帯機器のメールアドレス、及び前記映像蓄積再生装置自身を特定するＩＤ情報を、前記ネットワーク通信手段を通じて前記サーバに送信する制御手段とを有することを特徴としている。
【００１０】
また、本発明に係る他の映像蓄積再生装置は、ネットワーク接続機能を有する映像蓄積再生装置であって、自身を特定するＩＤ情報を管理する自己情報管理手段と、ネットワークを介してサーバと通信を行うネットワーク通信手段と、前記ネットワーク通信手段を通じて通信を行うサーバの情報を管理するサーバ情報管理手段と、近接した携帯機器から送信される信号を受信する信号受信手段と、コンテンツの再生権を与える再生権情報を管理する再生権情報管理手段と、過去に前記送受信手段が受信した携帯機器を特定するＩＤ情報及び該携帯機器のメールアドレスを関連機器情報として記憶する関連機器情報記憶部と、前記関連機器情報を管理する関連機器情報管理手段と、前記再生権を前記携帯機器に引き渡す操作がなされたときに、前記関連機器情報管理手段が管理する前記携帯機器のＩＤ情報、前記携帯機器のメールアドレス、及び前記映像蓄積再生装置を特定するＩＤ情報を、前記ネットワーク通信手段を通じて、前記サーバ情報管理手段が管理するサーバに送信する制御手段とを有することを特徴としている。
【００１１】
また、本発明に係る再生権引渡システムは、サーバと、ネットワークを介して前記サーバと通信可能な上記映像蓄積再生装置と、ネットワークを介して前記サーバと通信可能な携帯機器とを有することを特徴としている。
【００１２】
また、本発明に係る再生権引渡方法は、自身を特定するＩＤ情報を管理する手段と、ネットワークを介してサーバと通信を行う手段と、通信を行うサーバの情報を管理する手段と、近接した携帯機器から送信される信号を受信する手段と、コンテンツの再生権を与える再生権情報を管理する手段と、再生権の引き渡し先となることができる機器を特定する関連機器情報を記憶する手段と、前記関連機器情報を管理する手段とを有する映像蓄積再生装置が、前記再生権を前記携帯機器に引き渡す再生権引渡方法であって、前記映像蓄積再生装置が、前記近接した携帯機器からの前記信号を受信し、該信号から前記携帯機器を特定するＩＤ情報を取り出し、前記関連機器情報内に前記取り出されたＩＤ情報と一致する情報があるか否かを判定するステップと、前記映像蓄積再生装置が、一致する情報がある場合には、前記携帯機器を特定する前記ＩＤ情報、前記携帯機器からの信号に含まれる前記携帯機器のメールアドレス、及び前記映像蓄積再生装置自身を特定するＩＤ情報を前記サーバに送信するステップとを有することを特徴としている。
【００１３】
また、本発明に係る他の再生権引渡方法は、自身を特定するＩＤ情報を管理する手段と、ネットワークを介してサーバと通信を行う手段と、通信を行うサーバの情報を管理する手段と、近接した携帯機器から送信される信号を受信する手段と、コンテンツの再生権を与える再生権情報を管理する手段と、過去に受信した携帯機器を特定するＩＤ情報及び該携帯機器のメールアドレスを関連機器情報として記憶する手段と、前記関連機器情報を管理する手段とを有する映像蓄積再生装置が、前記再生権を前記携帯機器に引き渡す再生権引渡方法であって、前記映像蓄積再生装置に、前記再生権を前記携帯機器に引き渡す命令が入力されるステップと、前記映像蓄積再生装置が、該命令が入力されたときに、管理されている前記携帯機器のＩＤ情報、前記携帯機器のメールアドレス、及び前記映像蓄積再生装置を特定するＩＤ情報を、前記サーバに送信するステップとを有することを特徴としている。
【発明の効果】
【００１４】
本発明によれば、携帯機器から映像蓄積再生装置への近接通信手段として映像蓄積再生装置が信号受信手段のみを備えている場合であっても、映像蓄積再生装置が保有しているコンテンツの再生権を、携帯機器に引き渡すことができるという効果がある。また、映像蓄積再生装置が備える近接通信手段は、信号受信手段のみでよいので、装置のコストアップを抑制できるという効果がある。
【図面の簡単な説明】
【００１５】
【図１】本発明の実施の形態１及び２に係る再生権引渡システムの構成を概略的に示すネットワーク構成図である。
【図２】実施の形態１及び２に係る映像蓄積再生装置の構成を概略的に示すブロック図である。
【図３】実施の形態１及び２に係る再生権引渡システムにおける携帯機器の構成を概略的に示すブロック図である。
【図４】実施の形態１に係る映像蓄積再生装置によるコンテンツ購入時及び再生時の動作を示すフローチャートである。
【図５】実施の形態１に係る映像蓄積再生装置によるコンテンツ購入時及び再生時の動作を示すシーケンス図である。
【図６】実施の形態１に係る映像蓄積再生装置でコンテンツサイトにアクセスしたとき（コンテンツ購入時）に表示されるネットワークサービスメニュー画面の一例を示す図である。
【図７】実施の形態１に係る映像蓄積再生装置でコンテンツサイトにアクセスしたとき（コンテンツ購入時）に表示されるコンテンツ選択画面の一例を示す図である。
【図８】実施の形態１に係る映像蓄積再生装置でコンテンツサイトにアクセスしたとき（コンテンツ購入時）に表示されるコンテンツ購入画面の一例を示す図である。
【図９】実施の形態１に係る映像蓄積再生装置が再生権を他の機器に引き渡す際の、映像蓄積再生装置の動作を示すフローチャートである。
【図１０】実施の形態１に係る映像蓄積再生装置が再生権を他の機器に引き渡す際の、再生権引渡システムの動作を示すシーケンス図である。
【図１１】実施の形態１に係る映像蓄積再生装置が保有する再生権を他の機器に引き渡す際に使用する携帯機器の表示画面例を示す図である。
【図１２】実施の形態１に係る映像蓄積再生装置が保有する再生権を他の機器に引き渡す際に受信するメールの表示画面例を示す図である。
【図１３】実施の形態１に係る映像蓄積再生装置が保有する再生権を他の機器に引き渡す際に、認証・サービスサーバにアクセスした携帯機器に表示されるコンテンツ選択の用の画面例を示す図である。
【図１４】実施の形態１に係る再生権引渡システムにおいて、他の映像蓄積再生装置による再生権及びコンテンツの受信動作を示すフローチャートである。
【図１５】実施の形態１に係る再生権引渡システムにおいて、他の映像蓄積再生装置による再生権及びコンテンツの受信動作を示すシーケンス図である。
【図１６】実施の形態１に係る再生権引渡システムにおいて、他の映像蓄積再生装置でコンテンツを再生する際のコンテンツサイトのコンテンツ再生開始用の画面例を示す図である。
【図１７】実施の形態１に係る再生権引渡システムにおいて、他の映像蓄積再生装置でコンテンツを再生する際に、利用者へ操作を促すための画面例を示す図である。
【図１８】実施の形態１に係る再生権引渡システムにおいて、他の映像蓄積再生装置でコンテンツを再生する際における携帯機器の操作画面例を示す図である。
【図１９】実施の形態２に係る映像蓄積再生装置が再生権を他の機器に引き渡す際の、映像蓄積再生装置の動作を示すフローチャートである。
【図２０】実施の形態２に係る映像蓄積再生装置が再生権を他の機器に引き渡す際の、再生権引渡システムの動作を示すシーケンス図である。
【図２１】実施の形態２に係る映像蓄積再生装置が保有する再生権を他の機器に引き渡す際に使用する映像蓄積再生装置の表示画面例を示す図である。
【図２２】実施の形態２に係る映像蓄積再生装置が保有する再生権を他の機器に引き渡す際に使用する映像蓄積再生装置の表示画面例を示す図である。
【図２３】実施の形態２に係る映像蓄積再生装置が保有する再生権を他の機器に引き渡す際に使用する携帯機器の表示画面例を示す図である。
【発明を実施するための形態】
【００１６】
実施の形態１．
図１は、本発明の実施の形態１に係る映像蓄積再生装置１を含む再生権引渡システム（すなわち、実施の形態１に係る再生権引渡方法を実施可能なシステム）を概略的に示すネットワーク構成図である。図１に示されるように、実施の形態１に係る再生権引渡システムは、ネットワークに接続可能な機器の一例としての映像蓄積再生装置１と、ネットワークに接続可能な機器の一例としての携帯機器２とを有するシステムである。映像蓄積再生装置１は、例えば、ブルーレイディスクレコーダーなどのデジタルＡＶ機器である。映像蓄積再生装置１は、ルーター（図示せず）などを経由して第１のネットワーク５（例えば、インターネット）に接続されている。携帯機器２は、例えば、携帯電話である。認証・サービスサーバ３は、ネットワークを経由してコンテンツを提供するプロバイダのサーバである。認証・サービスサーバ３は、ネットワーク（例えば、第１のネットワーク５及び第２のネットワーク４）を経由して携帯機器２と通信可能であり、また、ネットワーク（例えば、第１のネットワーク５）を経由して映像蓄積再生装置１と通信可能である。なお、第１のネットワーク５と第２のネットワーク４とは、同一のネットワークであってもよく、また、第１のネットワーク５と第２のネットワーク４との間に他のネットワークが介在してもよい。また、他の映像蓄積再生装置７は、映像蓄積再生装置１と同様の構成を有し、ネットワーク接続機能及びコンテンツ再生機能を備えた装置である。図１に示されるように、実施の形態１においては、携帯機器２からの近接通信信号により映像蓄積再生装置１に再生権の引き渡し要求が送信され、映像蓄積再生装置１は認証・サービスサーバ３に再生権引渡開始要求を送信し、携帯機器２は認証・サービスサーバ３から再生権情報を取得し、移動後に携帯機器２は他の映像蓄積再生装置７に近接通信信号により再生権情報を送信する。
【００１７】
図２は、実施の形態１に係る映像蓄積再生装置１の構成の一形態を概略的に示すブロック図である。図２に示されるように、映像蓄積再生装置１は、主要な要素として、表示装置１００と、キー入力手段１０１と、表示制御手段１０２と、Ｗｅｂ閲覧手段１０３と、ネットワーク通信手段１０４と、再生権情報管理手段１０６と、再生権情報記憶部１０７と、赤外線受信手段１０８と、関連機器情報管理手段１０９と、関連機器情報記憶部１１０と、コンテンツ再生手段１１１と、サーバ情報管理手段１１２と、サーバ情報記憶部１１３とを有している。なお、図２には示していないが、映像蓄積再生装置１は、通常のハードディスクレコーダや光ディスクレコーダが有する構成、例えば、コンテンツの記録手段（ハードディスク内蔵型の場合）、自身のＩＤ情報を格納し管理する自己情報管理手段（再生権情報記憶部１０７及び再生権情報管理手段１０６と共通であってもよい）、及び装置全体の動作を制御する制御手段（再生権情報管理手段１０６と共通であってもよい）を備える。
【００１８】
表示装置１００は、例えば、図形や文字などを表示する液晶ディスプレイ装置などである。表示制御手段１０２は、表示装置１００を制御することによって、表示装置１００にＧＵＩ文字、グラフィックス、映像などの表示を実行させる。
【００１９】
キー入力手段１０１は、利用者６が映像蓄積再生装置１にコマンドなどを入力する部分であり、利用者６が操作する入力デバイスを示す。キー入力手段１０１は、例えば、キーボード、リモコン、映像蓄積再生装置１のパネルに配置されている操作キー、マウスなどのポインティングデバイス、ソフトウェアキーボード、表示装置の表示パネルに利用者６が直接触れることで入力を行うタッチパネルなどである。
【００２０】
Ｗｅｂ閲覧手段１０３は、インターネット上のＷｅｂサーバにアクセスして、そのサーバからデータを取得する手段であり、Ｗｅｂブラウザのプログラムなどから構成される手段である。Ｗｅｂ閲覧手段１０３は、Ｗｅｂサーバから取得したＨＴＭＬ形式などのデータを解析して、適切にレイアウトを行った上で、描画命令やデータを表示制御手段１０２に渡すことで、表示装置１００にＷｅｂページを表示させる。ネットワーク通信手段１０４は、映像蓄積再生装置１を第１のネットワーク５に接続するためのネットワークインターフェースである。
【００２１】
再生権情報管理手段１０６は、複数の再生権情報を管理する手段であり、ネットワーク通信手段１０４を介して、認証・サービスサーバ３から送られてきた特定のコンテンツに対する再生権情報を受信して、再生権情報記憶部１０７に対して再生権情報を書き込んだり、読み出したりする。再生権情報記憶部１０７は、再生権情報のデータを蓄積しておくための不揮発な記憶装置であり、例えば、ＨＤＤのような装置に内蔵、もしくは外付けの磁気記録メディアの他に、内蔵のフラッシュメモリ、ＳＤなどの外付けのメモリーカードや、バックアップされたＳＲＡＭなどの不揮発メモリデバイスでも良い。
【００２２】
赤外線受信手段１０８は、近接した機器からの信号を受信する受信手段の一例である。赤外線受信手段１０８は、赤外線のリモコンコードを受信するインターフェースである。このインターフェースを経由して受信される赤外線通信データは、通常のリモコンコードの他に、ＩｒＤＡやＩｒＳｉｍｐｌｅなどの通信規格に準拠したデータでも良い。
【００２３】
関連機器情報管理手段１０９は、自身に対してコマンドの送信を許可している携帯機器２の機器ＩＤなどを管理する手段であり、関連機器情報記憶部１１０に対して携帯機器２の機器ＩＤなどを書き込んだり、読み出したりする。関連機器情報記憶部１１０は、携帯機器２の機器ＩＤなどのデータを蓄積しておくための不揮発な記憶装置であり、再生権情報記憶部１０７と同様に、例えば、ＨＤＤのような装置に内蔵、もしくは、外付けの磁気記録メディアの他に、内蔵のフラッシュメモリ、ＳＤなどの外付けのメモリーカードや、バックアップされたＳＲＡＭなどの不揮発メモリデバイスでも良い。
【００２４】
コンテンツ再生手段１１１は、ネットワーク通信手段１０４を介して、認証・サービスサーバ３から送信されてきたコンテンツ（例えば、動画コンテンツ）を再生するための手段であり、映像・音声のデコーダーを含むメディアプレーヤーなどを意味する。
【００２５】
サーバ情報管理手段１１２は、映像蓄積再生装置１が、ネットワークに接続されているサーバと通信する際に、サーバを特定するためのＵＲＬ（Ｕｎｉｆｏｒｍ  Ｒｅｓｏｕｒｃｅ  Ｌｏｃａｔｏｒ）などの情報を管理する手段であり、サーバ情報記憶部１１３に対してサーバのＵＲＬなどの情報を書き込んだり、読み出したりする。サーバ情報記憶部１１３は、サーバのＵＲＬなどの情報を蓄積しておくための不揮発な記憶装置であり、例えば、ＨＤＤのような装置に内蔵、もしくは外付けの磁気記録メディアの他に、内蔵のフラッシュメモリ、ＳＤなどの外付けのメモリーカードや、バックアップされたＳＲＡＭなどの不揮発メモリデバイスでも良い。
【００２６】
図３は、本発明の実施の形態１に係る再生権引渡システムにおける携帯機器２の構成の一形態を示すブロック図である。図３に示されるように、携帯機器２は、主要な要素として、表示装置２００と、キー入力手段２０１と、表示制御手段２０２と、Ｗｅｂ閲覧手段２０３と、ネットワーク通信手段２０４と、再生権情報管理手段２０６と、再生権情報記憶部２０７と、赤外線送信手段２０８と、自己情報管理手段２０９と、自己情報記憶部２０とを有している。携帯機器２は、例えば、携帯電話である。携帯機器２が、携帯電話である場合には、携帯機器２は、図示しない通話手段と、通話手段を含む全体の構成の動作を制御する制御手段とを備える。
【００２７】
表示装置２００は、例えば、図形や文字などを表示する液晶ディスプレイ装置などである。表示制御手段２０２は、利用者６に対してＧＵＩを提示するための表示を制御する部分であり、表示装置２００に対して文字、グラフィックス、映像などの表示を実行させる。
【００２８】
キー入力手段２０１は、利用者６が携帯機器２にコマンドなどを入力する部分であり、利用者６が操作する入力デバイスを示す。キー入力手段２０１は、例えば、キーボード、リモコンや携帯電話などの操作キー、マウスなどのポインティングデバイス、ソフトウェアキーボード、表示装置に利用者６が直接触れることで入力を行うタッチパネルなどである。
【００２９】
Ｗｅｂ閲覧手段２０３は、インターネット上のＷｅｂサーバにアクセスして、そのサーバからデータを取得する手段であり、Ｗｅｂブラウザのプログラムなどを意味する。Ｗｅｂ閲覧手段２０３は、Ｗｅｂサーバから取得したＨＴＭＬ形式などのデータを解析して、適切にレイアウトを行った上で、描画命令やデータを表示制御手段２０２に引き渡すことで、表示装置２００を介して利用者６にＷｅｂページを提示する。ネットワーク通信手段２０４は、携帯機器２を第１のネットワーク５に接続するためのネットワークインターフェースである。
【００３０】
再生権情報管理手段２０６は、複数の再生権情報を管理する手段であり、ネットワーク通信手段２０４を介して、認証・サービスサーバ３から送られてきた特定のコンテンツに対する再生権情報を受信し、再生権情報記憶部２０７に対して再生権情報を書き込んだり、読み出したりする。再生権情報記憶部２０７は、再生権情報のデータを蓄積しておくための不揮発な記憶装置であり、例えば、ＨＤＤのような装置に内蔵、もしくは、外付けの磁気記録メディアの他に、内蔵のフラッシュメモリ、ＳＤなどの外付けのメモリーカード、バックアップされたＳＲＡＭなどの不揮発メモリデバイスでも良い。
【００３１】
赤外線送信手段２０８は、赤外線のリモコンコードを送信するインターフェースである。このインターフェースを経由して送信される赤外線通信データは、通常のリモコンコードの他に、ＩｒＤＡやＩｒＳｉｍｐｌｅなどの通信規格に準拠したデータでも良い。
【００３２】
自己情報管理手段２０９は、自身のインターネットメールアドレスや機器ＩＤなどを管理する手段であり、自己情報記憶部２０に対して自身のインターネットメールアドレスや機器ＩＤなどを書き込んだり、読み出したりする。自己情報記憶部２０は、自身のインターネットメールアドレスや機器ＩＤなどのデータを蓄積しておくための不揮発な記憶装置であり、再生権情報記憶部２０７と同様に、例えば、ＨＤＤのような装置に内蔵、もしくは、外付けの磁気記録メディアの他に、内蔵のフラッシュメモリ、ＳＤなどの外付けのメモリーカードや、バックアップされたＳＲＡＭなどの不揮発メモリデバイスでも良い。
【００３３】
メール受信手段２１１は、ネットワーク通信手段２０４を介して、認証・サービスサーバ３から送信されてきたメールを受信するための手段であり、メールクライアントソフトウェアなどを意味する。
【００３４】
以降に、本発明の実施の形態１に係る映像蓄積再生装置１及びこれを含む再生権引渡システムの動作を説明する。図４は、実施の形態１に係る映像蓄積再生装置１によるコンテンツ購入時の動作を示すフローチャートである。また、図５は、実施の形態１に係る映像蓄積再生装置１によるコンテンツ購入時の動作を示すシーケンス図である。
【００３５】
コンテンツサイトとからインターネット経由でコンテンツを購入するときに、利用者６は、映像蓄積再生装置１のキー入力手段１０１を用いて、コンテンツサイトにアクセスするための操作を行う。この操作は、表示装置１００に表示された、図６に示されるようなネットワークサービスメニュー画面の中から、キー入力手段１０１を用いて、ボタンを選択することによって行われる。表示制御手段１０２にカーソル移動の指令を行うことで、ネットワークサービスメニュー画面の中から「コンテンツサイトを利用する」のボタンを選択して、「コンテンツサイトを利用する」のボタンを選択した結果、映像蓄積再生装置１は、コンテンツアクセス要求を受付ける（図４、図５のステップＳ１００）。また、映像蓄積再生装置１のリモコン（図示せず）に専用のボタンが割り当てられており、そのボタンを押下することによって「コンテンツサイトを利用する」のボタンの選択時と同じ機能を持たせてもよい。
【００３６】
操作の結果、映像蓄積再生装置１は、認証・サービスサーバ３に対して、利用者６がステップＳ１００で選択したコンテンツサイトのコンテンツサイトアクセス要求を送信し、コンテンツサイトにアクセスする（図４、図５のステップＳ１０１）。この動作は、Ｗｅｂ閲覧手段１０３が、ネットワーク通信手段１０４を介して、認証・サービスサーバ３上で動作するＷｅｂサーバの特定のＵＲＬに対して、ＨＴＴＰプロトコルによってＨＴＴＰ−ＧＥＴメソッドを送信することで実行される。この際のＵＲＬは、Ｗｅｂ閲覧手段１０３がサーバ情報管理手段１１２を介して、サーバ情報記憶部１１３から読み出す。通常のインターネットサービスは、認証を行うためのサーバ、ネットワークサービスを受けるためのポータルサイトを提供するサーバ、実際のコンテンツを提供するサーバが異なるサーバ上に分散配置されている場合が多いが、以下の説明においては、説明を単純化するために便宜上、上記すべてのサーバ機能が認証・サービスサーバ３に集約されている場合を説明する。ただし、実際には、認証を行うためのサーバ、ネットワークサービスを受けるためのポータルサイトを提供するサーバ、実際のコンテンツを提供するサーバが異なるサーバが、異なるサーバ上に分散配置されていることが多く、分散配置されていても良い。
【００３７】
次に、認証・サービスサーバ３は、映像蓄積再生装置１に対してステップＳ１０１で受信したＨＴＴＰ−ＧＥＴメソッドで要求されたコンテンツサイト画面を送信し、映像蓄積再生装置１はコンテンツサイト画面を受信する（図４、図５のステップＳ１０２）。この動作は、ＨＴＴＰプロトコルの応答メッセージとしてＨＴＭＬ（Ｈｙｐｅｒ  Ｔｅｘｔ  Ｍａｒｋｕｐ  Ｌａｎｇｕａｇｅ）ベースで記述された画面データを送信することで実行される。映像蓄積再生装置１は、ステップＳ１０２でネットワーク通信手段１０４を介してこの応答メッセージを受信して、Ｗｅｂ閲覧手段１０３に引き渡す。Ｗｅｂ閲覧手段は、受信したＨＴＭＬベースで記述された画面データを解析して、適切にレイアウトを行った上で、描画命令やデータを表示制御手段１０２に引き渡す。その結果、表示装置１００にコンテンツサイト画面が表示される（図４のステップＳ１０２−２）。図７に、このときの映像蓄積再生装置１におけるコンテンツサイト画面の例を示す。実際のコンテンツサイトは、利用者６がコンテンツを選びやすくするために、コンテンツのジャンルなどで分類され、階層化されている場合が多いが、図７には、便宜上、画面にコンテンツのリストが表示されており、利用者６が直接選べる場合を示す。
【００３８】
次に、利用者６は、コンテンツを選択して、コンテンツ購入操作を行う（図４、図５のステップＳ１０３）。ここでは、利用者６が映画「マイナーリーグ２」を選択して購入する場合を例にとって説明を行う。利用者６は、表示装置１００に表示された図７のコンテンツサイト画面の中から、キー入力手段１０１を用いて、表示制御手段１０２にカーソル移動の指令を行うことで、「映画「マイナーリーグ２」」のボタンを選択する。この結果、映像蓄積再生装置１は、表示制御手段１０２を介して表示装置１００に図８に示されるようなコンテンツ購入確認画面を表示する。次に、利用者６は、表示装置１００に表示された図８のコンテンツ購入確認画面の中から、キー入力手段１０１を用いて、表示制御手段１０２にカーソル移動の指令を行うことで、「購入する」のボタンを選択する。
【００３９】
選択の結果、映像蓄積再生装置１は、認証・サービスサーバ３に対して視聴者がステップＳ１０３で選択したコンテンツについてコンテンツ購入要求を送信する（図４、図５のステップＳ１０４）。この動作は、例えば、再生権情報管理手段１０６が、ネットワーク通信手段１０４を介して、認証・サービスサーバ３上で動作するＷｅｂサーバの特定のＵＲＬに対して、ＨＴＴＰプロトコルによってＨＴＴＰ−ＰＯＳＴメソッドを送信することで実行される。
【００４０】
次に、認証・サービスサーバ３は、映像蓄積再生装置１にコンテンツ再生権を送信し、映像蓄積再生装置１はコンテンツ再生権を受信する（図４、図５のステップＳ１０５）。この動作は、ステップＳ１０４のＨＴＴＰ−ＰＯＳＴメソッドのレスポンスとして、認証・サービスサーバ３から映像蓄積再生装置１に対してコンテンツ再生権を送信する動作である。映像蓄積再生装置１の再生権情報管理手段１０６は、コンテンツ再生権をネットワーク通信手段１０４を介して受信して、そのコンテンツ再生権を再生権情報記憶部１０７に格納する（図４のステップＳ１０５−２）。コンテンツ再生権は、タイトルやコンテンツ固有のＩＤ、コンテンツを参照するためのＵＲＩ（Ｕｎｉｆｏｒｍ  Ｒｅｓｏｕｒｃｅ  Ｉｄｅｎｔｉｆｉｅｒ）又はＵＲＬなどのコンテンツを特定する情報、当該コンテンツを再生可能な期間を示す有効期限情報、コピー制限の情報、コンテンツが暗号化されている場合は、復号化するための鍵から構成される。
【００４１】
映像蓄積再生装置１は、認証・サービスサーバ３に対して視聴者がステップＳ１０３で選択したコンテンツについてコンテンツ再生要求を送信する（図４、図５のステップＳ１０６）。ネットワーク経由で映像コンテンツを配信、再生する際のコンテンツ転送プロトコルとして、例えば、ＲＴＰ（Ｒｅａｌｔｉｍｅ  Ｔｒａｎｓｐｏｒｔ  Ｐｒｏｔｏｃｏｌ）を用いる場合や、ＨＴＴＰを用いる場合などいくつかの方法があるが、実施の形態１では、例として、ＨＴＴＰを用いた場合について述べる。この場合の動作は、映像蓄積再生装置１のコンテンツ再生手段１１１が、ネットワーク通信手段１０４を介して再生したいコンテンツを参照するためのＵＲＬに対してＨＴＴＰプロトコルによってＨＴＴＰ−ＧＥＴメッセージを送信することで実行される。
【００４２】
次に、認証・サービスサーバ３は、映像蓄積再生装置１に対してステップＳ１０６で要求されたコンテンツについてコンテンツ送信を行い、映像蓄積再生装置１はコンテンツを受信する（図４、図５のステップＳ１０７）。この場合、認証・サービスサーバ３は、ステップＳ１０６のＨＴＴＰ−ＧＥＴメッセージに対するレスポンスとして、コンテンツを含む応答メッセージを映像蓄積再生装置１に対して送信する。
【００４３】
映像蓄積再生装置１のコンテンツ再生手段１１１は、ネットワーク通信手段１０４を介してコンテンツデータを含むＨＴＴＰ−ＧＥＴの応答メッセージを受信して、データをデコードした上で、デコード後の信号を表示再生手段１０２に送信し、信号を表示再生手段１０２は、受信した信号を元に表示装置１００に映像を表示する（図４、図５のステップＳ１０８）。なお、コンテンツが暗号化されている場合は、データをデコードする前段で、再生権情報管理手段１０６を介して、再生権情報記憶部１０７に格納されている再生権情報から復号化のための鍵を取得して、その鍵を用いて復号化を実施する。なお、ステップＳ１０７で行うコンテンツ送信は、１回限りの送信ではなく、再生を継続している間は、繰り返しチャンクド転送としてコンテンツ送信を行う。
【００４４】
以降に、実施の形態１に係る映像蓄積再生装置１及びこれを含む再生権引渡システムの再生権の引き渡しの動作（再生権引渡方法）を説明する。図９は、実施の形態１に係る映像蓄積再生装置１が再生権を携帯機器２に引き渡す際の、映像蓄積再生装置１の動作を示すフローチャートである。また、図１０は、実施の形態１に係る映像蓄積再生装置１が再生権を携帯機器２に引き渡す際の、再生権引渡システムの動作を示すシーケンス図である。
【００４５】
利用者６は、携帯機器２の赤外線送信手段（図３の符号２０８）の赤外線ポートを映像蓄積再生装置１に向けた上で操作して、再生権引渡開始操作を行う（図１０のステップＳ２００）。この場合の操作は、利用者６が、例えば、表示装置２００に表示されたＧＵＩの指示に従って、キー入力手段２０１を介してコマンドを入力するなどである。図１１に、再生権引渡開始操作を行うためのＧＵＩ画面の例を示す。図１１の画面で、「実行」のボタンを選択して、確定することで、再生権引渡開始操作が完了する。
【００４６】
操作の結果、携帯機器２の自己情報管理手段２０９が、自己情報記憶部２１０から読み出した自身のインターネットメールアドレス及び自身の携帯機器ＩＤを含む再生権引渡開始要求を、赤外線送信手段２０８を介して、映像蓄積再生装置１に向けて赤外線通信により送信を行い、映像蓄積再生装置１は赤外線信号を受信する（図９、図１０のステップＳ２０１）。この場合の携帯機器ＩＤは、認証・サービスサーバ３が再生権の引き渡しを行う際に、複数の携帯機器の中から特定の携帯機器を判別するために使用するＩＤであり、例えば、認証・サービスサーバ３が携帯機器２に対して個別に割り付けたユニークなＩＤなどである。携帯機器２が携帯電話の場合、端末ＩＤや、ＳＩＭ（Ｓｕｂｓｃｒｉｂｅｒ  Ｉｄｅｎｔｉｔｙ  Ｍｏｄｕｌｅ）カードのＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などを利用しても良い。
【００４７】
映像蓄積再生装置１は、ステップＳ２０１で赤外線受信手段１０８を介して再生権引渡開始要求を受信した後、携帯機器２のインターネットメールアドレス及び携帯機器ＩＤと、自身の映像蓄積再生装置ＩＤを含む再生権引渡要求を、ネットワーク通信手段１０４を介して認証・サービスサーバ３に送信する（図９、図１０のステップＳ２０２）。再生権引渡要求をＨＴＴＰによって送信する場合を例として説明する。ステップＳ２０２の動作は、再生権情報管理手段１０６が赤外線受信手段１０８を介して受信した再生権引渡開始要求から携帯機器ＩＤを取り出し、また、関連機器情報管理手段１０９を介して関連機器情報記憶部１１０に格納されている関連機器のＩＤ取り出して、これらの両方のＩＤを照合した上で（図９のステップＳ２０１−２）、このＩＤが一致した場合に実行される。この場合、映像蓄積再生装置１は、携帯機器２のインターネットメールアドレスを関連機器情報管理手段１０９を介して関連機器情報記憶部１１０に格納した上で、ネットワーク通信手段１０４を介して、再生権引渡開始要求から取り出した携帯機器ＩＤとインターネットメールアドレスと自身の映像蓄積再生装置ＩＤを含むＨＴＴＰ−ＰＯＳＴのメッセージとして送信される。この際のＨＴＴＰ−ＰＯＳＴのメッセージを送信する先のＵＲＬは、再生権情報管理手段１０６がサーバ情報管理手段１１２を介して、サーバ情報記憶部１１３から読み出す。なお、この場合の映像蓄積再生装置ＩＤとは、認証・サービスサーバ３が再生権の引き渡しを行う際に、複数の映像蓄積再生装置の中から特定の映像蓄積再生装置を判別するために使用するＩＤであり、例えば、認証・サービスサーバ３が映像蓄積再生装置１に対して個別に割り付けたユニークなＩＤなどである。ネットワーク接続機能を持つ機器に一般的に割り振られているユニークな番号、例えば、ＭＡＣ（Ｍｅｄｉａ  Ａｃｃｅｓｓ  Ｃｏｎｔｒｏｌ）アドレスなどを利用しても良い。上記の場合、携帯機器２の携帯機器ＩＤは、例えば、あらかじめ映像蓄積再生装置１の関連機器情報記憶部１１０に登録されているものである。登録の方法は、例えば、利用者６が携帯機器２の表示装置２００に表示された携帯機器２の携帯機器ＩＤを見ながら、映像蓄積再生装置１のキー入力手段１０１を介して手動で入力する方法などが考えられる。
【００４８】
認証・サービスサーバ３は、再生権引渡要求を受信すると、この要求に含まれている情報から携帯機器２のインターネットメールアドレスを取得して、携帯機器２に対して再生権引渡確認メールを送信する（図１０のステップＳ２０３）。このときの確認メールの例を、図１２に示す。図１２に示したとおり、この確認メール中には、再生権引渡確認を行うためのＵＲＬが含まれる。実施の形態１の説明においては、このＵＲＬは、認証・サービスサーバ３の特定のリソースを示すものとするが、必ずしも認証・サービスサーバ３上のリソースである必要はない。携帯機器２は、メール受信手段２１１がネットワーク通信手段２０４を介して、不図示のメールサーバに対して、メール着信の有無を確認するメッセージを送信する。認証・サービスサーバ３から送信された再生権引渡確認メールが存在する場合は、ネットワーク通信手段２０４を介して、メールを受信する。
【００４９】
利用者６は、携帯機器２が受信した再生権引渡確認メールを開き、Ｗｅｂ閲覧手段２０３を起動して、メール中に含まれている再生権引き渡しの確認を行うためのＵＲＬにアクセスするための操作をする（図１０のステップＳ２０４）。具体的な操作例としては、図１２に示されるような受信メール画面を用いてメールを閲覧した上で、キー入力手段２０１を用いて本文中にリンクされているＵＲＬ（図１２における「ｈｔｔｐ：／／ｓｅｒｖｅｒ．ｃｏ．ｊｐ／ａｂｃ．ｈｔｍｌ」）をフォーカスした上で「決定」又は「Ｅｎｔｅｒ」に相当するキーを押下するなどである。
【００５０】
携帯機器２は、Ｗｅｂ閲覧手段２０３がネットワーク通信手段２０４を介して、認証・サービスサーバ３に対して、再生権引き渡しの確認を行うためのＵＲＬに対して、ＨＴＴＰ−ＧＥＴのメッセージを送信する（図１０のステップＳ２０５）。
【００５１】
ＨＴＴＰ−ＧＥＴのメッセージを受信した認証・サービスサーバ３は、ＨＴＭＬ形式の再生権引渡確認画面をＨＴＴＰ−ＧＥＴのレスポンスとして携帯機器２に対して送信する（図１０のステップＳ２０６）。このときの携帯機器２における確認画面の例を、図１３に示す。携帯機器２は、Ｗｅｂ閲覧手段２０３がネットワーク通信手段２０４を介して再生権引渡確認画面を受信する。Ｗｅｂ閲覧手段２０３は、受信したＨＴＭＬ形式の再生権引渡確認画面を解析した上で、表示制御手段２０２を介して、表示装置２００に図１３に示されるような、再生権引渡確認画面を表示する。図１３に示されるように、再生権引渡確認画面には、映像蓄積再生装置１が再生権を持っていて、携帯機器２に再生権を引き渡すことが可能なコンテンツの一覧が表示される。
【００５２】
利用者６は、携帯機器２を用いて再生権引渡確認操作を行う（図１０のステップＳ２０７）。具体的には、表示装置２００に表示された、図１３に示されるような再生権引渡確認画面を見ながら、キー入力手段２０１を用いて再生権を引き渡したいコンテンツを選択する。コンテンツの選択は、例えば、図１３に示されるようなコンテンツの一覧から、引き渡したいコンテンツのラジオボタンを選択して、確定することで選択する。図１３では、映画「マイナーリーグ２」が選択されている例を示している。その後、「実行」のボタンを選択して、確定することで再生権引渡確認操作が完了する。携帯機器２は、Ｗｅｂ閲覧手段２０３がネットワーク通信手段２０４を介して認証・サービスサーバ３に対して、選択されたコンテンツを指定する情報を含む再生権要求イベントを送信する（図１０のステップＳ２０８）。この場合の再生権要求イベントは、ＨＴＴＰ−ＰＯＳＴメッセージなどを用いる。
【００５３】
認証・サービスサーバ３は、再生権要求イベントを受信したら、ステップＳ２０２の段階で受信した再生権引渡要求に含まれている映像蓄積再生装置１の映像蓄積再生装置ＩＤを基にして、対応する映像蓄積再生装置１に対して、ステップＳ２０７で利用者６が選択したコンテンツの再生権を無効化するために、ステップＳ２０２の段階で受信した再生権引渡要求であるＨＴＴＰ−ＰＯＳＴのメッセージの応答として再生権無効化要求を送信し、映像蓄積再生装置１は再生権無効化要求を受信する（図９、図１０のステップＳ２０９）。この応答には、利用者６が選択したコンテンツを指定する情報が含まれる。
【００５４】
映像蓄積再生装置１の再生権情報管理手段１０６は、ネットワーク通信手段１０４を介して、再生権無効化要求を受信し、メッセージから無効化するコンテンツを指定する情報を取り出した上で、再生権情報記憶部１０７に格納されている再生権を検索して、当該のコンテンツの再生権が存在する場合、その再生権を再生権情報記憶部１０７から削除する（図９のステップＳ２０９−２）。その後、再生権情報管理手段１０６は、ネットワーク通信手段１０４を介して、認証・サービスサーバ３に対して、再生権無効化完了通知を送信する（図９、図１０のステップＳ２１０）。この場合の再生権無効化完了通知は、ＨＴＴＰ−ＰＯＳＴメッセージなどを用いる。
【００５５】
認証・サービスサーバ３は、映像蓄積再生装置１に対してＨＴＴＰ−ＰＯＳＴメッセージのレスポンスとして再生権無効化完了応答を送信し、映像蓄積再生装置１は再生権無効化完了応答を受信（図９、図１０のステップＳ２１１）した後、ステップＳ２０８で受信した再生権要求イベントの応答として、携帯機器２に対して、再生権を送信する（図１０のステップＳ２１２）。携帯機器２の再生権情報管理手段２０６は、ネットワーク通信手段２０４を介して再生権情報を受信し、再生権情報記憶部２０７に再生権情報を格納する。以上の動作の結果、映像蓄積再生装置１が保有していた再生権が携帯機器２に引き渡されたことになる。
【００５６】
以降に、本発明の実施の形態１に係る映像蓄積再生装置１及びこれを含む再生権引渡システムの再生権の引き渡し後に、携帯機器２に対して引き渡された再生権を用いて、再生権を持たない他の映像蓄積再生装置７でコンテンツを再生する手順を説明する。図１４は、実施の形態１に係る再生権引渡システムにおいて、他の映像蓄積再生装置７による再生権及びコンテンツの受信動作を示すフローチャートである。また、図１５は、実施の形態１に係る再生権引渡システムにおいて、他の映像蓄積再生装置による再生権及びコンテンツの受信動作を示すシーケンス図である。
【００５７】
他の映像蓄積再生装置７によるコンテンツ購入時の動作は、図４のステップＳ１００〜Ｓ１０２の動作と同様であり、映像蓄積再生装置１の表示装置１００には、図７に示すコンテンツサイト画面が表示されている。次に、利用者６は、ステップＳ３００で、コンテンツを選択した上で、コンテンツ再生開始操作を行う（図１４、図１５のステップＳ３００）。ここでは、利用者６が映画「マイナーリーグ２」を選択して購入する場合を例として説明を行う。利用者６は、表示装置１００に表示された図７のコンテンツサイト画面の中から、キー入力手段１０１を用いて、表示制御手段１０２にカーソル移動の指令を行うことで、「映画「マイナーリーグ２」」のボタンを選択する。この結果、映像蓄積再生装置１は、表示制御手段１０２を介して表示装置１００に図１６に示されるようなコンテンツ再生確認画面を表示する。次に、利用者６は、表示装置１００に表示された図８のコンテンツ再生確認画面の中から、キー入力手段１０１を用いて、表示制御手段１０２にカーソル移動の指令を行うことで、「既得の再生権で視聴する」のボタンを選択する。
【００５８】
選択の結果、他の映像蓄積再生装置７は、認証・サービスサーバ３に対して、視聴者がステップＳ３００で選択したコンテンツについてコンテンツ再生開始要求を送信する（図１４、図１５のステップＳ３０１）。この動作は、例えば、Ｗｅｂ閲覧手段１０３が、ネットワーク通信手段１０４を介して、認証・サービスサーバ３上で動作するＷｅｂサーバの特定のＵＲＬに対して、ＨＴＴＰプロトコルによってＨＴＴＰ−ＰＯＳＴメソッドを送信することで実行される。
【００５９】
認証・サービスサーバ３は、ＨＴＴＰ−ＰＯＳＴメソッドのレスポンスとして、他の映像蓄積再生装置７に対して再生権転送促進画面を送信し、他の映像蓄積再生装置７は再生権転送促進画面を受信する（図１４、図１５のステップＳ３０２）。この動作は、ＨＴＴＰプロトコルの応答メッセージとしてＨＴＭＬベースで記述された画面データを送信することで実行される。他の映像蓄積再生装置７は、ネットワーク通信手段１０４を介してこの応答メッセージを受信して、Ｗｅｂ閲覧手段１０３に引き渡す。Ｗｅｂ閲覧手段１０３は、受信したＨＴＭＬベースで記述された画面データを解析して、適切にレイアウトを行った上で、描画命令やデータを表示制御手段１０２に引き渡す。その結果、表示装置１００に再生権転送促進画面が表示される（図１４のステップＳ３０２−２）。この画面は、利用者６に対して、視聴しようとしているコンテンツの再生権情報を携帯機器２から他の映像蓄積再生装置７に送信する操作を促すものである。図１７に、他の映像蓄積再生装置７における再生権転送促進画面の例を示す。
【００６０】
利用者６は、携帯機器２の赤外線ポートを他の映像蓄積再生装置７に向けた上で操作して、再生権送信操作を行う（図１５のステップＳ３０３）。この場合の操作は、例えば、表示装置２００に表示されたＧＵＩの指示に従って、キー入力手段２０１を介してコマンドを入力するなどである。図１８に、ＧＵＩ画面の例を示す。再生権リストから映画「マイナーリーグ２」を選択した上で「送信」のボタンを選択して、確定することで再生権送信操作が完了する。
【００６１】
操作の結果、ステップＳ３０４で携帯機器２の再生権情報管理手段２０６が、再生権情報記憶部２０７から読み出した再生権情報と、自己情報記憶部２１０から読み出した携帯機器ＩＤを含む再生権転送メッセージを、赤外線送信手段２０８を介して、他の映像蓄積再生装置７に向けて赤外線通信により送信を行い、他の映像蓄積再生装置７はこの赤外線信号を受信する（図１４、図１５のステップＳ３０４）。
【００６２】
映像蓄積再生装置７の再生権情報管理手段１０６は、赤外線受信手段１０８を介して再生権転送メッセージを受信した後、受信した再生権情報と携帯機器２の携帯機器ＩＤと、自身の映像蓄積再生装置ＩＤを含む再生権確認要求を、ネットワーク通信手段１０４を介して認証・サービスサーバ３に送信する（図１４、図１５のステップＳ３０５）。この際に、再生権情報管理手段１０６は、再生権情報を再生権情報記憶部１０７に保存せずに、当該のコンテンツの再生が完了するまで一時的に保持する。再生権確認要求をＨＴＴＰによって送信する場合を例として説明すると、ステップＳ３０５の動作は、再生権情報管理手段１０６が赤外線受信手段１０８を介して受信した再生権転送メッセージから取り出した再生権情報と携帯機器ＩＤ、及び自身の映像蓄積再生装置ＩＤを含むＨＴＴＰ−ＰＯＳＴのメッセージとしてネットワーク通信手段１０４を介して送信される。
【００６３】
次に、認証・サービスサーバ３は、受信した再生権確認要求から再生権情報と携帯機器ＩＤ及び映像蓄積再生装置ＩＤを取り出した上で、当該の携帯機器ＩＤの携帯機器が当該のコンテンツの再生権を持っており、かつ当該の映像再生機器ＩＤが当該のコンテンツの再生権を持っていない場合に、映像蓄積再生装置７に対して再生権確認応答を送信し、映像蓄積再生装置７は再生権確認応答を受信する（図１５のステップＳ３０６、Ｓ３０７）。映像蓄積再生装置７の再生権情報管理手段１０６は、ネットワーク通信手段１０４を介して再生権確認応答を受信したら、コンテンツ再生手段１１１に対して再生権情報を引き渡した上で再生の指示を行う。
【００６４】
映像蓄積再生装置７のコンテンツ再生手段１１１は、再生権情報を基にして、認証・サービスサーバ３に対して当該コンテンツのコンテンツ送信要求を送信する（図１４、図１５のステップＳ３０８）。ネットワーク経由で映像コンテンツを配信、再生する際のコンテンツ転送プロトコルとして、ＨＴＴＰを用いる場合の動作は、映像蓄積再生装置１のコンテンツ再生手段１１１が、ネットワーク通信手段１０４を介して再生したいコンテンツを参照するためのＵＲＬに対してＨＴＴＰプロトコルによってＨＴＴＰ−ＧＥＴメッセージを送信することで実行される。
【００６５】
認証・サービスサーバ３は、映像蓄積再生装置１に対してステップＳ３０８で要求されたコンテンツについてコンテンツ送信を行い、映像蓄積再生装置７はコンテンツ送信を受信する（図１４、図１５のステップＳ３０９）。この場合、認証・サービスサーバ３ステップＳ３０８のＨＴＴＰ−ＧＥＴメッセージに対するレスポンスとして、コンテンツを含む応答メッセージを映像蓄積再生装置７に対して送信する。
【００６６】
映像蓄積再生装置７のコンテンツ再生手段１１１は、ステップＳ３０９でネットワーク通信手段１０４を介してコンテンツデータを含むＨＴＴＰ−ＧＥＴの応答メッセージを受信して、データをデコードした上で、デコード後の信号を表示再生手段１０２に送信し、信号を表示再生手段１０２は、受信した信号を元に表示装置１００に映像を表示する（図１４、図１５のステップＳ３１０）。なお、コンテンツが暗号化されている場合は、データをデコードする前段で、再生権情報管理手段１０６が一時的に保持している再生権情報から復号化のための鍵を取得して、その鍵を用いて復号化を実施する。なお、ステップＳ１０７で行うコンテンツ送信は、１回限りの送信ではなく、再生を継続している間は、繰り返しチャンクド転送としてコンテンツ送信を行う。
【００６７】
なお、実施の形態１においては、携帯機器２と映像蓄積再生装置１（又は７）の間の通信において赤外線による通信を使用する例について説明してきたが、この場合の近接通信方式として、赤外線以外の方式、例えば、無線ＬＡＮ、Ｂｌｕｅｔｏｏｔｈ、ＷｉｒｅｌｅｓｓＵＳＢなどの無線による方式や、ＦｅｌｉＣａ（登録商標）などの非接触ＩＣカード方式を用いても良い。
【００６８】
以上に説明したように、実施の形態１に係る映像蓄積再生装置１においては、赤外線ポート経由で受信した携帯機器のＩＤ情報とメールアドレスに加えて、自身の映像蓄積再生装置ＩＤをネットワーク経由で認証・サービスサーバ３に通知するように構成したため、映像蓄積再生装置１が搭載している赤外線受信ポート以外に近距離通信用インターフェースを追加する必要はない。このため、実施の形態１に係る映像蓄積再生装置１によれば、再生権の引き渡しに要する部品追加のコストアップは無いという効果がある。また、再生権の引き渡し操作を行う際に、利用者６が映像蓄積再生装置１のユーザーインターフェースを使用して操作する必要が無いため、映像蓄積再生装置１による利用者６のコンテンツの視聴を妨げないという効果がある。
【００６９】
実施の形態２．
図１９は、本発明の実施の形態２に係る映像蓄積再生装置１ａが再生権を他の機器に引き渡しを行う際の、映像蓄積再生装置１ａの動作を示すフローチャートである。または、図２０は、実施の形態２に係る映像蓄積再生装置１ａが再生権の他の機器への引き渡しを行う際の、映像蓄積再生装置１ａ、携帯機器２、認証・サービスサーバ３の動作を示すシーケンス図である。映像蓄積再生装置１ａは、実施の形態１に係る映像蓄積再生装置１と同様の構成を有するので、実施の形態２の説明に際しては、図１乃至図３をも参照する。
【００７０】
実施の形態２においては、利用者６が映像蓄積再生装置１ａを操作して自身が保有する再生権を携帯機器２に引き渡す場合を説明する。実施の形態２においては、再生権の引き渡し先である携帯機器２が、過去に再生権の引き渡し先となったことがある携帯機器２である場合を説明する。このような場合には、映像蓄積再生装置１ａの関連機器情報記憶部１１０には、再生権の引渡し先となることができる携帯機器２のＩＤ情報及びメールアドレスがすでに格納されている。
【００７１】
先ず、利用者６は、映像蓄積再生装置１ａのキー入力部１０１を操作して、再生権引渡開始操作を行う（図１９、図２０のステップＳ４０１）。この場合、利用者６は、図２１に示されるような映像蓄積再生装置１ａの再生権管理画面を開き、再生権リストから、今回再生権の引き渡しを行うコンテンツを選択した上で、「再生権を引き渡す」ボタンをクリックする。その後、図２２に示されるような画面で、再生権の引き渡し先の携帯機器２を選択した上で、「実行」ボタンをクリックする。
【００７２】
映像蓄積再生装置１ａの再生権情報管理手段１０６は、選択された携帯機器２のインターネットメールアドレス及び携帯機器ＩＤ情報を、関連機器情報管理手段１０９を介して関連機器情報記憶部１１０から読み出した上で、これらのインターネットメールアドレス及び携帯機器ＩＤ情報と、自身の映像蓄積再生装置ＩＤ情報を含む再生権引渡要求を、ネットワーク通信手段１０４を介して認証・サービスサーバ３に送信する（図１９、図２０のステップＳ４０２）。再生権引渡要求をＨＴＴＰによって送信する場合を例として説明すると、ステップＳ４０２の動作は、関連機器情報管理手段１０９が関連機器情報管理手段１０９を介して、関連機器情報記憶部１１０から読み出した携帯機器ＩＤ情報及びインターネットメールアドレスと、自身の映像蓄積再生装置ＩＤを含むＨＴＴＰ−ＰＯＳＴのメッセージとしてネットワーク通信手段１０４を介して、送信される。
【００７３】
認証・サービスサーバ３は、再生権引渡要求を受信すると、この要求に含まれている情報から携帯機器２のインターネットメールアドレスを取得して、携帯機器２に対して再生権引渡確認メールを送信する（図２０のステップＳ４０３）。この確認メールの例を、図１２に示す。図１２に示されるように、この確認メール中には、再生権引渡確認を行うためのＵＲＬが含まれる。実施の形態２においては、このＵＲＬが、認証・サービスサーバ３の特定のリソースを示す場合を説明するが、必ずしも認証・サービスサーバ３上のリソースである必要はない。携帯機器２は、メール受信手段２１１がネットワーク通信手段２０４を介して、不図示のメールサーバに対して、メール着信の有無を確認するメッセージを送信する。認証・サービスサーバ３から送信された再生権引渡確認メールが存在する場合は、携帯機器２は、ネットワーク通信手段２０４を介して、メールを受信する。
【００７４】
利用者６は、携帯機器２が受信した再生権引渡確認メールを開き、Ｗｅｂ閲覧手段２０３を起動して、メール中に含まれている再生権引渡確認を行うためのＵＲＬにアクセスするための操作をする（図２０のステップＳ４０４）。具体的な操作例としては、図１２に示されるような受信メール画面を用いてメールを閲覧した上で、キー入力手段２０１を用いて本文中にリンクされているＵＲＬ（図１２における「ｈｔｔｐ：／／ｓｅｒｖｅｒ．ｃｏ．ｊｐ／ａｂｃ．ｈｔｍｌ」）をフォーカスした上で「決定」又は「Ｅｎｔｅｒ」に相当するキーを押下するなどである。
【００７５】
携帯機器２は、Ｗｅｂ閲覧手段２０３がネットワーク通信手段２０４を介して、認証・サービスサーバ３に対して、再生権引渡の確認を行うためのＵＲＬに対して、ＨＴＴＰ−ＧＥＴのメッセージを送信する（図２０のステップＳ４０５）。
【００７６】
ＨＴＴＰ−ＧＥＴのメッセージを受信した認証・サービスサーバ３は、ＨＴＭＬ形式の再生権引渡確認画面をＨＴＴＰ−ＧＥＴのレスポンスとして携帯機器２に対して送信する（図２０のステップＳ４０６）。このときの携帯機器２の確認画面の例を、図２３に示す。携帯機器２は、Ｗｅｂ閲覧手段２０３がネットワーク通信手段２０４を介して再生権引渡確認画面を受信する。Ｗｅｂ閲覧手段２０３は、受信したＨＴＭＬ形式の再生権引渡確認画面を解析した上で、表示制御手段２０２を介して、表示装置２００に図１３に示されるような、再生権引渡確認画面を表示する。図２３に示したように、再生権引渡確認画面には、映像蓄積再生装置１ａが再生権を持っていて、今回、携帯機器２に再生権を引き渡すコンテンツが表示される。
【００７７】
利用者６は、再生権引渡確認操作を行う。具体的には、携帯機器２の表示装置２００に表示された、図１３に示されるような再生権引渡確認画面を見ながら、「実行」のボタンを選択して、確定することで再生権引渡確認操作が完了する（図２０のステップＳ４０７）。携帯機器２は、ステップＳ４０８でＷｅｂ閲覧手段２０３がネットワーク通信手段２０４を介して認証・サービスサーバ３に対して、選択されたコンテンツを指定する情報を含む再生権要求イベントを送信する（図２０のステップＳ４０８）。この場合の再生権要求イベントは、ＨＴＴＰ−ＰＯＳＴメッセージなどを用いる。
【００７８】
認証・サービスサーバ３は、再生権要求イベントを受信したときに、ステップＳ４０２の段階で受信した再生権引渡要求に含まれている映像蓄積再生装置１ａの映像蓄積再生装置ＩＤを基にして、ステップＳ４０９で対応する映像蓄積再生装置１ａに対して、ステップＳ４０７で利用者６が選択したコンテンツの再生権を無効化するために、ステップＳ４０２の段階で受信した再生権引渡要求であるＨＴＴＰ−ＰＯＳＴのメッセージの応答として再生権無効化要求を送信し、映像蓄積再生装置１ａは再生権無効化要求を受信する（図１９、図２０のステップＳ４０９）。この応答には、利用者６が選択したコンテンツを指定する情報が含まれる。
【００７９】
映像蓄積再生装置１ａの再生権情報管理手段１０６は、ネットワーク通信手段１０４を介して再生権無効化要求を受信すると、メッセージから無効化するコンテンツを指定する情報を取り出した上で、再生権情報記憶部１０７に格納されている再生権を検索して、当該のコンテンツの再生権が存在する場合、その再生権を再生権情報記憶部１０７から削除する（図１９のステップＳ４０９−２）。その後、再生権情報管理手段１０６は、ステップＳ４１０でネットワーク通信手段１０４を介して、認証・サービスサーバ３に対して、再生権無効化完了通知を送信する。この場合の再生権無効化完了通知は、ＨＴＴＰ−ＰＯＳＴメッセージなどを用いる。
【００８０】
認証・サービスサーバ３は、ステップＳ２１１で、映像蓄積再生装置１ａに対してＨＴＴＰ−ＰＯＳＴメッセージのレスポンスとして再生権無効化完了応答を送信した後、ステップＳ４０８で受信した再生権要求イベントの応答として、携帯機器２に対して、再生権情報を送信する（図２０のステップＳ４１２）。携帯機器２の再生権情報管理手段２０６は、ネットワーク通信手段２０４を介して再生権情報を受信し、再生権情報記憶部２０７に再生権情報を格納する。以上の動作の結果、映像蓄積再生装置１ａが保有していた再生権が携帯機器２に引き渡されたことになる。
【００８１】
本発明では、映像蓄積再生装置１ａが関連機器情報記憶部１１０に格納されている、携帯機器ＩＤ情報とメールアドレスに加えて、映像蓄積再生装置１ａ自身を特定する映像蓄積再生装置ＩＤ情報をネットワーク経由で認証・サービスサーバ３に通知するように構成しているので、過去に１度でも再生権情報の引き渡しを行った携帯機器２に対して再生権の引き渡しを行う場合、携帯機器２を用いた赤外線通信を行う必要がなく、利用者６の操作の手間が少なくなるという効果がある。
【符号の説明】
【００８２】
１，１ａ  映像蓄積再生装置、  ７  他の映像蓄積再生装置、  ２  携帯機器、  ３  認証・サービスサーバ、  ４  第２のネットワーク、  ５  第１のネットワーク、  ６  利用者、  １００  映像蓄積再生装置の表示装置、  １０１  映像蓄積再生装置のキー入力手段、  １０２  映像蓄積再生装置の表示制御手段、  １０３  映像蓄積再生装置のＷｅｂ閲覧手段、  １０４  映像蓄積再生装置のネットワーク通信手段、  １０６  映像蓄積再生装置の再生権情報管理手段、  １０７  映像蓄積再生装置の再生権情報記憶部、  １０８  映像蓄積再生装置の赤外線送信手段、  １０９  映像蓄積再生装置の関連機器情報管理手段、  １１０  映像蓄積再生装置の関連機器情報記憶部、  １１１  映像蓄積再生装置のコンテンツ再生手段、  ２００  携帯機器の表示装置、  ２０１  携帯機器のキー入力手段、  ２０２  携帯機器の表示制御手段、  ２０３  携帯機器のＷｅｂ閲覧手段、  ２０４  携帯機器のネットワーク通信手段、  ２０６  携帯機器の再生権情報管理手段、  ２０７  携帯機器の再生権情報記憶部、  ２０８  携帯機器の赤外線送信手段、  ２０９  携帯機器の自己情報管理手段、  ２１０  携帯機器の自己情報記憶部、  ２１１  携帯機器のメール受信手段。
【図１】
2011053815.tif 000003
【図２】
2011053815.tif 000004
【図３】
2011053815.tif 000005
【図４】
2011053815.tif 000006
【図５】
2011053815.tif 000007
【図６】
2011053815.tif 000008
【図７】
2011053815.tif 000009
【図８】
2011053815.tif 000010
【図９】
2011053815.tif 000011
【図１０】
2011053815.tif 000012
【図１１】
2011053815.tif 000013
【図１２】
2011053815.tif 000014
【図１３】
2011053815.tif 000015
【図１４】
2011053815.tif 000016
【図１５】
2011053815.tif 000017
【図１６】
2011053815.tif 000018
【図１７】
2011053815.tif 000019
【図１８】
2011053815.tif 000020
【図１９】
2011053815.tif 000021
【図２０】
2011053815.tif 000022
【図２１】
2011053815.tif 000023
【図２２】
2011053815.tif 000024
【図２３】
2011053815.tif 000025